(57)【要約】【課題】  ハーネスがハンドルから不用意に引き抜かれるのを防止する。【解決手段】  本発明のハンドル装置は、扉の壁面に固定されるハンドルと、ハンドルに内装される通信機器と、通信機器に接続され、ハンドル内に配索されるハーネス７２と、ハンドルに内装され、ハーネス７２を支持するハーネスガイド７３と、を備えたハンドル装置であって、ハーネスガイド７３は、ハーネス７２が挿入される第１挿入部８１ａを有する第１ガイドリブ８１と、ハーネス７２が挿入される第２挿入部８２ａを有する第２ガイドリブ８２と、を備え、第２挿入部８２ａは、ハーネス７２の配索方向Ｙと交差する方向Ｚにおける位置が、第１挿入部８１ａに対して片側にずれていることを特徴とする。【選択図】図６
2015055069.tif 000002
【特許請求の範囲】
【請求項１】
扉の壁面に固定されるハンドルと、前記ハンドルに内装される通信機器と、前記通信機器に接続され、前記ハンドル内に配索されるハーネスと、前記ハンドルに内装され、前記ハーネスを支持するハーネスガイドと、を備えたハンドル装置であって、
前記ハーネスガイドは、
前記ハーネスが挿入される第１挿入部を有する第１ガイドリブと、
前記ハーネスが挿入される第２挿入部を有する第２ガイドリブと、を備え、
前記第２挿入部は、前記ハーネスの配索方向と交差する方向における位置が、前記第１挿入部に対して片側にずれていることを特徴とするハンドル装置。
【請求項２】
前記第２ガイドリブは、前記ハーネスの配索方向において前記第１ガイドリブの両外側に配置されていることを特徴とする請求項１に記載のハンドル装置。
【請求項３】
前記ハーネスガイドは、
前記ハーネスが挿入される第３挿入部を有し、前記ハーネスの配索方向において前記第２ガイドリブの外側に配置される第３ガイドリブを更に備え、
前記第３挿入部は、前記ハーネスの配索方向と交差する方向における位置が、前記第２挿入部に対して前記片側とは逆側にずれていることを特徴とする請求項２に記載のハンドル装置。
【請求項４】
前記通信機器に接続される他の通信機器を更に備え、
前記ハーネスガイドと前記他の通信機器は、前記ハンドル内の空間において、重なり合って積層状を成していることを特徴とする請求項１〜３のいずれか１項に記載のハンドル装置。
【請求項５】
前記ハンドルは、
前記ハーネスの裏側を覆う裏カバーと、
前記裏カバーに固定され、前記ハーネスの表側を覆う表カバーと、を備え、
前記表カバーの裏面には、ガイド固定部が突設され、
前記ガイド固定部は、
前記ハーネスガイドを嵌合可能な第１嵌合部と、
前記他の通信機器を嵌合可能に設けられ、前記表カバーの裏面と前記第１嵌合部の間に形成される第２嵌合部と、を備えていることを特徴とする請求項４に記載のハンドル装置。
【発明の詳細な説明】
【技術分野】
【０００１】
本発明は、扉の壁面に設けられるハンドル装置に関し、特に、ハンドル内に配索されるハーネスを備えたハンドル装置に関する。
【背景技術】
【０００２】
従来、扉の室内外の壁面にはハンドル装置が設けられている。このハンドル装置にはハンドルが設けられており、このハンドルを押したり引いたりすることで、扉を開閉できるようになっている。
【０００３】
例えば、特許文献１には、ハンドル（特許文献１の「アウトサイドハンドルＨ」参照）と、このハンドルに内装される通信機器（特許文献１の「アンテナ９」参照）と、この通信機器に接続され、ハンドル内に配索されるハーネス（特許文献１の「ハンドル内配線２７」参照）と、を備えたハンドル装置が開示されている。
【先行技術文献】
【特許文献】
【０００４】
【特許文献１】特開２０１３−０３６２３２号公報
【発明の概要】
【発明が解決しようとする課題】
【０００５】
上記の従来技術においては、ハンドル装置を扉の壁面に取り付ける際に、ハンドルの外部に引き出されたハーネスの端部が無理に引っ張られると、ハーネスがハンドルから不用意に引き抜かれる恐れがある。
【０００６】
本発明は、上記の事情を考慮し、ハーネスがハンドルから不用意に引き抜かれるのを防止することを目的とする。
【課題を解決するための手段】
【０００７】
本発明のハンドル装置は、扉の壁面に固定されるハンドルと、前記ハンドルに内装される通信機器と、前記通信機器に接続され、前記ハンドル内に配索されるハーネスと、前記ハンドルに内装され、前記ハーネスを支持するハーネスガイドと、を備えたハンドル装置であって、前記ハーネスガイドは、前記ハーネスが挿入される第１挿入部を有する第１ガイドリブと、前記ハーネスが挿入される第２挿入部を有する第２ガイドリブと、を備え、前記第２挿入部は、前記ハーネスの配索方向と交差する方向における位置が、前記第１挿入部に対して片側にずれていることを特徴とする。
【０００８】
上記のように第１挿入部及び第２挿入部にハーネスを挿入することで、ハーネスが一方向に引っ張られたとしてもハーネスが動きにくくなり、ハーネスがハンドルから不用意に引き抜かれるのを防止することができる。
【０００９】
更に、第１挿入部に対して片側にずれた位置に第２挿入部を設けることで、ハーネスが屈曲されることになる。これに伴って、ハーネスが一方向に引っ張られたとしてもハーネスが一層動きにくくなり、ハーネスがハンドルから不用意に引き抜かれるのを一層効果的に防止することができる。
【００１０】
前記第２ガイドリブは、前記ハーネスの配索方向において前記第１ガイドリブの両外側に配置されていても良い。
【００１１】
このような構成を採用することにより、ハーネスがＶ字状に屈曲されることになる。これに伴って、ハーネスが一方向に引っ張られたとしてもハーネスがより一層動きにくくなり、ハーネスがハンドルから不用意に引き抜かれるのをより一層効果的に防止することができる。
【００１２】
前記ハーネスガイドは、前記ハーネスが挿入される第３挿入部を有し、前記ハーネスの配索方向において前記第２ガイドリブの外側に配置される第３ガイドリブを更に備え、前記第３挿入部は、前記ハーネスの配索方向と交差する方向における位置が、前記第２挿入部に対して前記片側とは逆側にずれていても良い。
【００１３】
このような構成を採用することにより、ハーネスがジグザグ状（Ｚ字状）に屈曲されることになる。これに伴って、ハーネスが一方向に引っ張られたとしてもハーネスがより一層動きにくくなり、ハーネスがハンドルから不用意に引き抜かれるのをより一層効果的に防止することができる。
【００１４】
前記ハンドル装置は、前記通信機器に接続される他の通信機器を更に備え、前記ハーネスガイドと前記他の通信機器は、前記ハンドル内の空間において、重なり合って積層状を成していても良い。
【００１５】
このような構成を採用することにより、ハンドル内の空間を有効に利用することが可能になると共に、他の通信機器を含むユニットの組み立てが容易になる。
【００１６】
前記ハンドルは、前記ハーネスの裏側を覆う裏カバーと、前記裏カバーに固定され、前記ハーネスの表側を覆う表カバーと、を備え、前記表カバーの裏面には、ガイド固定部が突設され、前記ガイド固定部は、前記ハーネスガイドを嵌合可能な第１嵌合部と、前記他の通信機器を嵌合可能に設けられ、前記表カバーの裏面と前記第１嵌合部の間に形成される第２嵌合部と、を備えていても良い。
【００１７】
このような構成を採用することにより、通信機器に他の通信機器を接続する製品と通信機器に他の通信機器を接続しない製品の両方に同一の部品構成で対応することが可能となり、部品の共通化を図ることができる。
【００１８】
また、表カバーの裏面とハーネスガイドの間に他の通信機器が挟み込まれることになるため、他の通信機器を安定的に保持することが可能となる。
【発明の効果】
【００１９】
本発明によれば、ハーネスがハンドルから不用意に引き抜かれるのを防止することが可能となる。
【図面の簡単な説明】
【００２０】
【図１】本発明の一実施形態に係るハンドル装置を示す側断面図である。
【図２】本発明の一実施形態に係るハンドル装置の上側部分を示す側断面図である。
【図３】（ａ）は、本発明の一実施形態に係るハンドル装置において、ハンドルのグリップの裏カバーを示す側面図である。（ｂ）は、同正面図である。
【図４】（ａ）は、本発明の一実施形態に係るハンドル装置において、ハンドルのグリップの表カバーを示す側断面図である。（ｂ）は、同背面図である。
【図５】図２のＡ−Ａ断面図である。
【図６】（ａ）は、本発明の一実施形態に係るハンドル装置において、ハーネスガイドを示す側断面図である。（ｂ）は、同背面図である。
【発明を実施するための形態】
【００２１】
以下、図１〜図６に基づいて、本発明の一実施形態に係るハンドル装置１について説明する。以下、説明の便のため、図１における左側をハンドル装置１の前側とし、図１における右側をハンドル装置１の後側とする。各図に適宜付される矢印Ｆｒは、ハンドル装置１の前側を示している。
【００２２】
図１に示されるように、ハンドル装置１は、扉２の外壁面３（室外側の壁面）に設けられている。ハンドル装置１は、扉２の外壁面３に埋設される上下一対のシリンダー錠４と、扉２の外壁面３に固定され、上側のシリンダー錠４の上方から下側のシリンダー錠４の下方に亘って配置されるハンドル５と、ハンドル５の上部に保持される作動機構６と、ハンドル５の上部に内装されるカードリーダー７（通信機器）を有する通信ユニット８と、を主体として構成されている。
【００２３】
まず、各シリンダー錠４について説明する。各シリンダー錠４は、前後方向に延びる鍵穴９を備えている。各シリンダー錠４の表面には、鍵穴９の前端部が露出している。各シリンダー錠４は、施解錠機構（図示せず）に接続されており、鍵穴９に挿入された合鍵（図示せず）が回転操作されると、施解錠機構が作動して、扉２の施錠と解錠が切り替わるようになっている。
【００２４】
次に、ハンドル５について説明する。ハンドル５は、上下方向に細長い形状を成している。つまり、本実施形態では、上下方向がハンドル５の長手方向である。ハンドル５は、扉２の外壁面３に固定される上下一対の台座１０と、上下一対の台座１０を連結するグリップ１１と、を備えている。
【００２５】
図２に示されるように、ハンドル５の上側の台座１０は、扉２の外壁面３に沿って上下方向に延びる第１カバー１２と、第１カバー１２の上部の前方に配置される第２カバー１３と、第１カバー１２と第２カバー１３を連結するストラップ１４と、を主体として構成されている。
【００２６】
第１カバー１２の上端部には上方係合部１５が設けられ、第１カバー１２の上下方向略中央部には左右一対の下方係合部１６（図２では、左側の下方係合部１６のみを表示）が設けられている。第１カバー１２には、上方係合部１５の下方に円筒状の錠前保持部１７が設けられている。錠前保持部１７は、上側のシリンダー錠４の外周の前後方向中央部を覆っている。第１カバー１２には、錠前保持部１７の下方に四角筒状のストラップ保持部１８が設けられている。ストラップ保持部１８の後上隅部には、係合部２０が設けられている。ストラップ保持部１８の表面側には、挿入開口部２１が形成されている。
【００２７】
第１カバー１２の下部には、ラッチバー保持部２２が設けられている。ラッチバー保持部２２の後端部は、扉２を貫通する上下一対の取付柱２３を介して、扉２の内壁面２４（室内側の壁面）に設けられた室内側ハンドル２５（図２において一部のみを表示）に連結されている。第１カバー１２の後端面と扉２の外壁面３の間には、ゴム製のシート２６が介装されている。
【００２８】
第２カバー１３の上端部には上方フック２７が設けられ、第２カバー１３の下端部には左右一対の下方フック２８（図２では、左側の下方フック２８のみを表示）が設けられている。そして、上方フック２７を第１カバー１２の上方係合部１５に係合させると共に各下方フック２８を第１カバー１２の各下方係合部１６に係合させることで、第２カバー１３が第１カバー１２に着脱可能に取り付けられている。
【００２９】
第２カバー１３の上部は、上側のシリンダー錠４の表面を覆っている。第２カバー１３の下部には、後方に向かって突出する保持突部３０が設けられている。保持突部３０には、挿通穴３２が上下方向に設けられている。保持突部３０の後部は、第２カバー１３を第１カバー１２に取り付けた状態で、第１カバー１２のストラップ保持部１８に設けられた挿入開口部２１に挿入されている。
【００３０】
ストラップ１４は、ゴムなどの弾性材料によって形成されている。ストラップ１４は、第１カバー１２のストラップ保持部１８に保持されている。ストラップ１４の長手方向一端部には係合穴３３が設けられており、この係合穴３３に第１カバー１２の係合部２０を係合させることで、ストラップ１４の長手方向一端部が第１カバー１２に取り付けられている。ストラップ１４の長手方向他側部は、第２カバー１３の保持突部３０に設けられた挿通穴３２に挿通されている。これにより、ストラップ１４の長手方向他側部が第２カバー１３に取り付けられている。
【００３１】
図１に示されるように、ハンドル５の下側の台座１０は、ハンドル５の上側の台座１０と略上下対称形状を成している。ハンドル５の下側の台座１０については説明を省略する。
【００３２】
図１に示されるように、ハンドル５のグリップ１１は、僅かに前方に湾曲しながら上下方向に延びている。ハンドル５のグリップ１１は、裏カバー４０と、裏カバー４０の前方に配置される表カバー４１と、裏カバー４０及び表カバー４１の上部の左右両側に配置される一対のサイドウォール４２（図１では、左側のサイドウォール４２のみ表示）と、を備えている。裏カバー４０と表カバー４１の間には、収容空間４３が形成されている。
【００３３】
裏カバー４０は、アルミニウム等の金属によって形成されている。図３（ａ）及び図３（ｂ）に示されるように、裏カバー４０は、裏板部４４と、裏板部４４の左右両側から前方に向かって延びる側板部４５と、を備えている。
【００３４】
図２に示されるように、裏板部４４は、カードリーダー７の裏面を覆っている。図３（ａ）に示されるように、裏板部４４の上部には後方に向かって突出する上側突片４６が設けられ、裏板部４４の下部には後方に向かって突出する下側突片４７が設けられている。図１に示されるように、下側突片４７は、揺動軸部４８を介して下側の台座１０に取り付けられている。これにより、グリップ１１が揺動軸部４８を支点に揺動可能となっている。
【００３５】
図３（ｂ）に示されるように、裏板部４４の上下方向中央部には、４個の当接突部４９が前方に向かって突出している。裏板部４４の下部には、ハーネス挿通穴５０が設けられている。
【００３６】
図３（ａ）及び図３（ｂ）に示されるように、各側板部４５の上部には、切り欠き部５１が設けられている。切り欠き部５１は、各側板部４５のうちのカードリーダー７の左右両側面の後部を覆う部分に設けられている。
【００３７】
表カバー４１は、ポリカーボネート等の樹脂によって形成されている。図４（ａ）及び図４（ｂ）に示されるように、表カバー４１は、本体部５２と、本体部５２の左右両側から後方に向かって延びる固定部５３と、を備えている。
【００３８】
図１に示されるように、本体部５２の上端部と下端部は、それぞれ取付ネジ５４によって裏カバー４０の裏板部４４の上端部と下端部に取り付けられている。これにより、裏カバー４０に表カバー４１が固定されている。図２に示されるように、本体部５２は、カードリーダー７の表面を覆っている。
【００３９】
図４（ａ）及び図４（ｂ）に示されるように、本体部５２の裏面には、上下方向中央部よりも上方の部分に、支持フック５５が突設されている。本体部５２の裏面の上下方向中央部には、四角筒状のガイド固定部５６が突設されている。ガイド固定部５６の上端部と下端部には、開口部５６ａがそれぞれ設けられている。図５等に示されるように、ガイド固定部５６は、第１嵌合部５７と、本体部５２の裏面と第１嵌合部５７の間に形成される第２嵌合部５８と、を備えている。第２嵌合部５８は第１嵌合部５７よりも上下幅及び左右幅が小さい。第１嵌合部５７の左右両側部には、上下一対の固定穴５９が設けられている。
【００４０】
図４（ａ）及び図４（ｂ）に示されるように、各固定部５３の上部には、後方に向かって突出する複数（例えば４個）の嵌合突起６０が設けられている。複数の嵌合突起６０は、上下方向（ハンドル５の長手方向）に列設されている。各嵌合突起６０は、上下方向に長い形状を成している。
【００４１】
各サイドウォール４２は、ＡＳＡ等の樹脂によって形成されている。各サイドウォール４２は、表カバー４１とは異なる種類の樹脂によって形成されている。各サイドウォール４２は、カードリーダー７の左右両側面の後部を覆っている（図２参照）。
【００４２】
図２に示されるように、各サイドウォール４２は、上下方向に長い形状を成している。各サイドウォール４２には、表面から裏面まで貫通する複数（例えば４個）の嵌合穴（図示せず）が設けられている。各嵌合穴は、表カバー４１の各固定部５３の各嵌合突起６０と嵌合している。これにより、裏カバー４０の側板部４５の切り欠き部５１を塞ぐようにして各サイドウォール４２が表カバー４１の各固定部５３に固定されている。
【００４３】
次に、作動機構６について説明する。図２に示されるように、作動機構６は、ラッチバー６４と、ラッチバー６４の片側に設けられるねじりコイルバネ６５と、を備えている。
【００４４】
ラッチバー６４は、上側の台座１０の第１カバー１２に設けられたラッチバー保持部２２に保持されている。ラッチバー６４は、略上下方向（正確には、下方に向かって僅かに前方に傾斜する方向）に延びる第１腕部６６と、第１腕部６６の上部から後方に向かって延びる第２腕部６７と、を備えている。
【００４５】
第１腕部６６の上端部は、回動軸部６８を介して上側の台座１０に取り付けられている。これにより、ラッチバー６４は、第１の姿勢（図２の実線参照）と第２の姿勢（図２の二点鎖線参照）の間で回動軸部６８を支点に回動可能となっている。第１腕部６６の下端部は、グリップ１１の裏カバー４０の裏板部４４に設けられた上側突片４６に接続軸部７０を介して接続されている。
【００４６】
ねじりコイルバネ６５の一部は、回動軸部６８の外周に巻回されている。ねじりコイルバネ６５は、ラッチバー６４を第１の姿勢（図２の実線参照）に付勢している。
【００４７】
次に、通信ユニット８について説明する。通信ユニット８は、上記のカードリーダー７と、カードリーダー７に上端部が接続されるハーネス７２と、ハンドル５のグリップ１１の上下方向中央部に内装されるハーネスガイド７３と、ハンドル５のグリップ１１の上下方向中央部に内装され、ハーネスガイド７３の前方に配置されるアンテナ７４（他の通信機器）と、を備えている。
【００４８】
カードリーダー７は、上下方向に長い形状を成している。カードリーダー７は、ハンドル５のグリップ１１の収容空間４３の上端部に収容されている。カードリーダー７の下端部には、下端突部７５が設けられている。そして、この下端突部７５を表カバー４１の本体部５２に設けられた支持フック５５に係合させた状態で、カードリーダー７の上端部を表カバー４１の本体部５２の上端部に締結ネジ７６によって締結することで、カードリーダー７が表カバー４１に固定されている。カードリーダー７は、ハンドル５の外部のＩＣカード７７（通信媒体）との間で無線通信を行う機能を有している。
【００４９】
図１に示されるように、ハーネス７２は、ハンドル５のグリップ１１の収容空間４３内に上下方向に配索されている。ハーネス７２の裏側は裏カバー４０の裏板部４４によって覆われ、ハーネス７２の表側は表カバー４１の本体部５２によって覆われている。ハーネス７２の下端部は、裏カバー４０の裏板部４４のハーネス挿通穴５０に挿通され、扉２の内部（ハンドル５の外部）に引き回されている。ハーネス７２の下端部には、コネクター７８が固定されている。
【００５０】
図５に示されるように、ハーネスガイド７３は、表カバー４１のガイド固定部５６の第１嵌合部５７に嵌合している。ハーネスガイド７３は、ハーネス７２を支持している。なお、図６（ｂ）の矢印Ｙは、ハーネス７２の配索方向Ｙ（本実施形態では上下方向）を示している。図６（ｂ）の矢印Ｚは、ハーネス７２の配索方向Ｙと交差する方向Ｚ（本実施形態では左右方向）を示している。
【００５１】
図６（ａ）及び図６（ｂ）に示されるように、ハーネスガイド７３は、第１ガイドリブ８１と、第１ガイドリブ８１の上側と下側（ハーネス７２の配索方向Ｙにおける両外側）に配置される一対の第２ガイドリブ８２と、一対の第２ガイドリブ８２の上側と下側（ハーネス７２の配索方向Ｙにおける両外側）に配置される一対の第３ガイドリブ８３と、一対の第２ガイドリブ８２と一対の第３ガイドリブ８３の間に配置される一対の補助ガイドリブ８４と、各ガイドリブ８１〜８４の前端部を連結し、上下方向に延びる前端壁８５と、各ガイドリブ８１〜８４の左右両側部を連結し、上下方向に延びる左右両側壁８６と、を備えている。
【００５２】
図６（ｂ）に示されるように、第１ガイドリブ８１の後縁部には溝状の第１挿入部８１ａが凹設され、第１挿入部８１ａにはハーネス７２が挿入されている。第１挿入部８１ａは、第１ガイドリブ８１の右側部（図６（ｂ）の図面上は左側部）に配置されている。
【００５３】
一対の第２ガイドリブ８２の後縁部には溝状の第２挿入部８２ａが凹設され、第２挿入部８２ａにはハーネス７２が挿入されている。第２挿入部８２ａは、第２ガイドリブ８２の左側部（図６（ｂ）の図面上は右側部）に配置されている。第２挿入部８２ａは、ハーネス７２の配索方向Ｙと交差する方向Ｚにおける位置が、第１挿入部８１ａに対して片側（図６（ｂ）の図面上は右側）にずれている。
【００５４】
一対の第３ガイドリブ８３の後縁部には溝状の第３挿入部８３ａが凹設され、第３挿入部８３ａにはハーネス７２が挿入されている。第３挿入部８３ａは、第３ガイドリブ８３の左右方向中央部に配置されている。第３挿入部８３ａは、ハーネス７２の配索方向Ｙと交差する方向Ｚにおける位置が、第１挿入部８１ａに対して片側（図６（ｂ）の図面上は右側）にずれると共に、第２挿入部８２ａに対して上記片側とは逆側（図６（ｂ）の図面上は左側）にずれている。
【００５５】
一対の補助ガイドリブ８４の後縁部には溝状の補助挿入部８４ａが凹設され、補助挿入部８４ａにはハーネス７２が挿入されている。補助挿入部８４ａは、補助ガイドリブ８４の左側部（図６（ｂ）の図面上は右側部）に配置されている。補助挿入部８４ａは、ハーネス７２の配索方向Ｙと交差する方向Ｚにおける位置が、一対の第２挿入部８２ａと同一である。
【００５６】
左右両側壁８６には、上下一対の固定突起８７が突設されている。図５に示されるように、各固定突起８７は、表カバー４１のガイド固定部５６の第１嵌合部５７に設けられた各固定穴５９に嵌合している。これにより、ハーネスガイド７３がガイド固定部５６に固定されている。
【００５７】
図２に示されるように、アンテナ７４は、ケーブル８８を介してカードリーダー７に接続されている。アンテナ７４は、ハンドル５の外部の携帯型キー（図示せず）との間で無線通信を行う機能を有している。図５に示されるように、アンテナ７４は、表カバー４１のガイド固定部５６の第２嵌合部５８に嵌合している。アンテナ７４は、表カバー４１の本体部５２の裏面とハーネスガイド７３に挟まれるように配置されている。ハーネスガイド７３とアンテナ７４は、収容空間４３において、重なり合って積層状を成している。
【００５８】
上記のように構成されたものにおいて、室外から扉２を開放するには、図１に矢印Ｘで示されるように、ハンドル５のグリップ１１を前側に牽引する。これに伴って、グリップ１１が揺動軸部４８を支点に前方に揺動し、グリップ１１に接続軸部７０を介して接続されたラッチバー６４が第１の姿勢（図２の実線参照）から第２の姿勢（図２の二点鎖線参照）に切り替わる。これに伴って、ラッチバー６４の第２腕部６７に接続されたラッチ機構（図示せず）が作動し、扉２を開放可能となる。
【００５９】
また、上記のように構成されたものにおいて、図２に示されるように、ＩＣカード７７が表カバー４１の前方に翳されると、ＩＣカード７７内に格納された識別情報をカードリーダー７が読み取り、この読み取られた識別情報がカードリーダー７から制御装置（図示せず）に送信される。制御装置は、カードリーダー７がＩＣカード７７から読み取った識別情報が正しいか否かを判断する。上記の識別情報が正しいと制御装置が判断した場合には、制御装置から施解錠機構（図示せず）に解錠信号が送信され、扉２が解錠される。一方で、上記の識別情報が正しくないと制御装置が判断した場合には、制御装置から施解錠機構に解錠信号が送信されず、扉２が施錠された状態が保持される。なお、携帯型キー（図示せず）からアンテナ７４に識別情報が送信された場合も、上記と同様の方法により、扉２の施解錠が制御される。
【００６０】
本実施形態では上記のように各ガイドリブ８１〜８４の各挿入部８１ａ〜８４ａにハーネス７２が挿入されている。そのため、ハンドル装置１を扉２の外壁面３に取り付ける際にハンドル５の外部に引き回されたハーネス７２の下端部やコネクター７８が引っ張られても、ハーネス７２が動きにくくなる。これに伴って、ハーネス７２がハンドル５から不用意に引き抜かれるのを防止することができる。
【００６１】
更に、第１挿入部８１ａに対して片側（図６（ｂ）の図面上は右側）にずれた位置に第２挿入部８２ａを設けることで、ハーネス７２が屈曲されることになる。そのため、ハーネス７２の下端部やコネクター７８が引っ張られたとしてもハーネス７２が一層動きにくくなる。これに伴って、ハーネス７２がハンドル５から不用意に引き抜かれるのを一層効果的に防止することができる。
【００６２】
更に、第２ガイドリブ８２が第１ガイドリブ８１の上側と下側（ハーネス７２の配索方向Ｙにおける両外側）に配置されているため、ハーネス７２がＶ字状に屈曲されることになる。そのため、ハーネス７２の下端部やコネクター７８が引っ張られたとしてもハーネス７２が一層動きにくくなる。これに伴って、ハーネス７２がハンドル５から不用意に引き抜かれるのを一層効果的に防止することができる。
【００６３】
また、第２挿入部８２ａに対して上記片側とは逆側（図６（ｂ）の図面上は左側）にずれた位置に第３挿入部８３ａを設けることで、ハーネス７２がジグザグ状（Ｚ字状）に屈曲されることになる。そのため、ハーネス７２の下端部やコネクター７８が引っ張られたとしてもハーネス７２がより一層動きにくくなる。これに伴って、ハーネス７２がハンドル５から不用意に引き抜かれるのをより一層効果的に防止することができる。
【００６４】
また、ハーネスガイド７３とアンテナ７４は、収容空間４３において、重なり合って積層状を成している。このような構成を採用することにより、収容空間４３を有効に利用することが可能になると共に、通信ユニット８の組み立てが容易になる。
【００６５】
また、ガイド固定部５６は、ハーネスガイド７３を嵌合可能な第１嵌合部５７と、アンテナ７４を嵌合可能な第２嵌合部５８と、を備えている。このような構成を採用することにより、カードリーダー７にアンテナ７４を接続する製品とカードリーダー７にアンテナ７４を接続しない製品の両方に同一の部品構成で対応することが可能となり、部品の共通化を図ることができる。
【００６６】
また、第２嵌合部５８が表カバー４１の本体部５２の裏面と第１嵌合部５７の間に形成されている。そのため、表カバー４１の本体部５２の裏面とハーネスガイド７３の間にアンテナ７４が挟み込まれることになり、アンテナ７４を安定的に保持することが可能となる。
【００６７】
本実施形態では、第２挿入部８２ａが第１挿入部８１ａに対して左側（図６（ｂ）の図面上は右側）にずれている場合について説明したが、他の異なる実施形態では、第２挿入部８２ａが第１挿入部８１ａに対して右側、前側又は後側にずれていても良い。
【００６８】
本実施形態では、ハーネスガイド７３が４個のガイドリブ８１〜８４を有する場合について説明したが、他の異なる実施形態では、ハーネスガイド７３が２個又は３個のガイドリブを有していても良いし、５個以上のガイドリブを有していても良い。
【００６９】
本実施形態では、各挿入部８１ａ〜８４ａが溝状に形成される場合について説明したが、他の異なる実施形態では、各挿入部８１ａ〜８４ａが穴状に形成されていても良い。
【００７０】
本実施形態では、第１ガイドリブ８１と第２ガイドリブ８２が隣り合う場合について説明したが、他の異なる実施形態では、第１ガイドリブ８１と第２ガイドリブ８２の間に他のガイドリブが設けられていても良い。
【００７１】
本実施形態では、第２ガイドリブ８２と第３ガイドリブ８３の間に補助ガイドリブ８４が設けられる場合について説明したが、他の異なる実施形態では、第２ガイドリブ８２と第３ガイドリブ８３が隣り合っていても良い。
【符号の説明】
【００７２】
１  ハンドル装置
２  扉
３  外壁面（壁面）
５  ハンドル
７  カードリーダー（通信機器）
４０  裏カバー
４１  表カバー
５６  ガイド固定部
５７  第１嵌合部
５８  第２嵌合部
７２  ハーネス
７３  ハーネスガイド
７４  アンテナ（他の通信機器）
８１  第１ガイドリブ
８１ａ  第１挿入部
８２  第２ガイドリブ
８２ａ  第２挿入部
８３  第３ガイドリブ
８３ａ  第３挿入部
【図１】
2015055069.tif 000003
【図２】
2015055069.tif 000004
【図３】
2015055069.tif 000005
【図４】
2015055069.tif 000006
【図５】
2015055069.tif 000007
【図６】
2015055069.tif 000008